(57)【要約】【課題】ネットワークを流れるトラヒックを監視のための処理量を削減する。【解決手段】本発明は、所定時間間隔で、ネットワークを流れるパケットを分析し、パケットの集合であるセッションに分析結果を付与するトラヒック分析装置と、分析結果に含まれる値を用いて、トラヒック分析装置によるセッションを分析する所定時間間隔を更新し、分析結果に含まれる値を用いて、セッションを通信規制する時間を得る制御管理装置と、通信規制する時間に従って、セッションを通信規制するトラヒック制御装置とを有する。【選択図】図1
2010074744.tif 000002
【特許請求の範囲】
【請求項１】
所定時間間隔で、ネットワークを流れるパケットを分析し、前記パケットの集合であるセッションに分析結果を付与するトラヒック分析装置と、
前記分析結果に含まれる値を用いて、前記トラヒック分析装置による前記セッションを分析する前記所定時間間隔を更新し、
前記分析結果に含まれる値を用いて、前記セッションを通信規制する時間を得る制御管理装置と、
前記通信規制する時間に従って、前記セッションを通信規制するトラヒック制御装置と
を有することを特徴とするトラヒック監視・制御システム。
【請求項２】
前記ネットワークを流れるパケットをコピーし、前記トラヒック分析装置に送信するトラヒック制御装置を有することを特徴とする請求項1記載のトラヒック監視・制御システム。
【請求項３】
前記制御管理装置は、前記セッションを通信規制する通信規制の種別を決定することを特徴とする請求項2記載のトラヒック監視・制御システム。
【請求項４】
前記トラヒック分析装置は、前記セッションに含まれるパケット数を分析結果に含むことを特徴とする請求項2記載のトラヒック監視・制御システム。
【請求項５】
前記トラヒック分析装置は、前記セッションを実行しているソフトウェア種別を前記分析結果に含むことを特徴とする請求項2記載のトラヒック監視・制御システム。
【請求項６】
所定時間間隔で、ネットワークを流れるパケットを分析し、前記パケットの集合であるセッションに分析結果を付与し、
前記分析結果に含まれる値を用いて、前記セッションを分析する前記所定時間間隔を更新し、
前記分析結果に含まれる値を用いて、前記セッションを通信規制する時間を取得し、
前記通信規制する時間に従って、前記セッションを通信規制することを特徴とするトラヒック監視・制御方法。
【請求項７】
前記ネットワークを流れるパケットの分析は、前記ネットワークを流れるパケットをコピーし、前記コピーしたパケットを分析することを特徴とする請求項6記載のトラヒック監視・制御方法。
【請求項８】
前記セッションを通信規制する時間の取得と並行して、前記セッションを通信規制する通信規制の種別を決定することを特徴とする請求項7記載のトラヒック監視・制御方法。
【請求項９】
前記分析結果には、前記セッションに含まれるパケット数を含むことを特徴とする請求項7記載のトラヒック監視・制御方法。
【請求項１０】
前記分析結果には、前記セッションを実行しているソフトウェア種別を含むことを特徴とする請求項7記載のトラヒック監視・制御方法。
【発明の詳細な説明】
【技術分野】
【０００１】
本発明は、ネットワークを流れるトラヒックを分析し、制御する技術に関する。
【背景技術】
【０００２】
インターネット上では様々な通信が行われており、その中にはWEBの閲覧やFTPによるファイル転送などの通常のトラヒックと、コンピュータウィルスによる感染活動や、ウィルスに感染したPCから特定のサーバに対するDoS攻撃などの、他者に迷惑をかける可能性のあるトラヒックとが混在している。
【０００３】
このため、ISPやSOCなどのネットワーク管理部門は、ネットワークを流れるトラヒックを分析し、好ましくないと判断したトラヒックを分離する処理を実行する場合がある。
【０００４】
このような処理の一例として、P2Pトラヒックの検知と制御がある。P2Pソフトウェアと、それによって生じるトラヒックは、それ自体は有害なものではないが、使用方法によっては大量のトラヒックを生じさせ、その他のユーザのインターネット利用を阻害するという弊害が生じる可能性がある。
【０００５】
これらの動きを受け、P2P通信を検出し、そのP2P通信によりネットワークに参加するコンピュータを割り出そうとする試みがなされている。特許文献１ではP2Pソフトウェアの接続情報を用いてP2P通信のトラフィックを判別し、制御する方法に関する記述がある。
【０００６】
【特許文献１】特開2005-202589「P2Pネットワークのトラヒック制御システム」
【発明の開示】
【発明が解決しようとする課題】
【０００７】
インターネット上におけるトラヒックを監視し、制御する場合、ネットワークの基幹部においては大量のトラヒックが流れているため、これらのトラヒックのすべてを監視対象としようとすると、監視に伴って生じる処理は膨大な量となる。
【０００８】
特許文献1に示されるP2Pネットワークのトラヒック制御システムは、P2Pソフトウェアが稼働している端末に接続して、P2P通信のトラフィックを監視し、P2P通信を切断する。
【０００９】
しかし特許文献1に示される方法では、監視対象のすべての端末を継続的に監視して、P2P通信を切断するか否かの制御判断を伴うので、監視のための処理量が非常に大きくなるという問題点がある。
【課題を解決するための手段】
【００１０】
本発明のトラヒック監視・制御システム及び方法は、次のような態様である。所定時間間隔で、ネットワークを流れるパケットを分析し、パケットの集合であるセッションに分析結果を付与するトラヒック分析装置と、分析結果に含まれる値を用いて、トラヒック分析装置によるセッションを分析する所定時間間隔を更新し、分析結果に含まれる値を用いて、セッションを通信規制する時間を得る制御管理装置と、通信規制する時間に従って、セッションを通信規制するトラヒック制御装置とを有するトラヒック監視・制御システム及びこれらの装置により実行される方法である。
【００１１】
本発明の望ましい他の態様は、ネットワークを流れるパケットをコピーし、前記トラヒック分析装置に送信するトラヒック制御装置を有する。
【発明の効果】
【００１２】
本発明によれば、ネットワークを流れるトラヒックを監視のための処理量を削減し、効率的に監視、制御を行うことが可能となる。
【発明を実施するための最良の形態】
【００１３】
本発明の実施形態を詳細に説明する。図1に、トラヒック監視・制御システム100の構成例を示す。本システム100は、トラヒック制御装置101、102、トラヒック分析装置103、制御管理装置104を含む構成であり、各装置は通信路105、106、107、108、109、110により接続されている。
【００１４】
本システム100の動作概略を説明する。トラヒック制御装置101は、通信路105のトラヒックを通信路107へ転送すると共に、そのトラヒックを順次コピーし、コピーしたトラヒックをトラヒック分析装置103に向けて通信路106へ転送する。また、トラヒック制御装置101は通信路105のトラヒックから抽出したセッション情報を通信路109を介して制御管理装置104に送信する。
【００１５】
トラヒック分析装置103は、所定の時間間隔で、通信路106に転送されたパケットを順次分析し、そのセッション情報と共に、分析結果及び分析結果の確からしさを表す確信度を、通信路108を介して制御管理装置104へ転送する。トラヒック分析装置103による分析は、個々のパケットの分析であるので、一連のパケットからなるセッションの終了を待たずに分析結果やその確信度を得ることができる。
【００１６】
確信度は、分析結果の確からしさ、すなわち分析の対象となっているセッションが監視対象のセッションである可能性の大きさである。確信度の値は、トラヒック分析装置103が監視対象のセッションごとに算出する。例えば、プロトコル解析のようにある特定のセッションを検知できるトラヒック分析プログラムが、あるセッションを監視対象のセッションであると判断した場合には確信度を100とする。他の一例として、判断の基準となるある特徴をもつパケットがトラヒック分析装置に観測された数により監視対象のセッションを検知するトラヒック分析プログラムを用いた場合について説明する。このプログラムでは、単位時間に観測された判断の基準となるパケット数が多いほど監視対象のセッションである確信度（可能性）が大きいと判断する。具体例として、１分間に観測された上記の条件に該当するパケット数が10以下なら確信度として10、10〜30なら確信度として50、30より大きければ確信度として80を算出する。このトラヒック分析プログラムを用いて、１分間に観測された上記の条件に該当するパケット数が32であった場合には、確信度として80を算出する。
【００１７】
制御管理装置104は、トラヒック分析装置103から転送されたセッション情報、分析結果及び確信度を参照して、トラヒック分析装置103がセッションを分析する時間間隔及びトラヒック制御装置102にセッションを制御させる通信規制種別とその通信規制時間（現在時刻から規制終了時刻まで）を設定する。
【００１８】
トラヒック制御装置102は、制御管理装置104から通信路109を介して転送された通信規制種別と通信規制時刻(規制終了時刻)に従って、通信路107から通信路110への指定されたセッションの転送を制御(通信規制)する。
【００１９】
図1に示すトラヒック監視・制御システム100の構成に、物理的構成が対応する必要はなく、論理的構成が対応すればよい。たとえば、1台の物理的なトラヒック制御装置によって、論理的なトラヒック制御装置101、102を構成しても良い。また１台ごとに異なるセッションの分析を想定して、３台のトラヒック分析装置103を図示しているが、これらを１台の物理的なトラヒック分析装置で構成してもよい。更に、トラヒック分析装置103および制御管理装置104の動作から明らかなように、これらをコンピュータにより実現することができ、そのコンピュータも1台であっても複数台であってもよい。
【００２０】
以上のように、トラヒック分析装置103におけるセッション分析時間間隔を制御することにより、トラヒック分析装置103の分析のための処理量(処理時間)を削減しながら、トラヒック制御装置102において所定のセッションの転送を制御できる。
【００２１】
図２に、トラヒック制御装置101、102の構成例を示す。トラヒック制御装置101及びトラヒック制御装置104のいずれかを表すために、図２における符号の表記はトラヒック制御装置201としている。トラヒック制御装置201は、中央処理装置（CPU）202、入出力装置203、記憶装置204、パケット処理装置205、メモリ208、インタフェース（IF）206、210、213を備えている。これらはデータ通信路(バス)207を介して接続されている。
【００２２】
中央処理装置202は、メモリ208に格納されたプログラムを実行する。メモリ208上のプログラムは、ハードディスクドライブやフラッシュメモリのような記憶装置204に記憶されており、トラヒック制御装置201への電源投入に伴って、メモリ208にロードされる。
【００２３】
入出力装置203は、インタフェース206、210、213のようなネットワークのインタフェースを介さずに、データの入力、出力を行うための装置である。入出力装置の例としては、キーボードやポインディングデバイス、ディスプレイ、プリンタ、USBなどの外部記憶を接続するためのインタフェース、コンパクトフラッシュ（登録商標）などのメモリカードからデータを読み取るためのスロットなどが含まれる。入出力装置203は、これらの例すべての装置を備えている必要はない。
【００２４】
パケット処理装置205は、データ通信路211、214を介してインタフェース210、213と接続されており、インタフェース212、215は通信路212、215を介して、外部ネットワークと接続されている。パケット処理装置205は、このような構成で、外部ネットワークより受信したパケットを処理する。インタフェース206は、通信路207を介してパケット処理装置205、中央処理装置202と接続されている。インタフェース206は、通信路216を介して接続されているネットワークからパケット処理装置205、中央処理装置202への設定情報を入力する用途に用いる。このインタフェース206を制御用インタフェースと呼ぶ。トラヒック制御装置201は、制御用インタフェースを1個、もしくは複数個備える。インタフェース210、213はパケット処理装置205とのみ通信路211、214を介して接続されている。インタフェースは外部ネットワークとの通信を行う用途に用いることができる。これらのインタフェース210、213を通信用インタフェースと呼ぶ。トラヒック制御装置201は、通信用インタフェースを1個、もしくは複数個備える。また、トラヒック制御装置201は、ファイアウォールのようなアプライアンスを含む構成で実現してもよい。
【００２５】
トラヒック制御装置101においては、メモリ208に、プログラムの他に、制御管理装置104からの監視対象のセッション情報なども格納している。プログラムとしては、セッション抽出プログラムとミラーリングプログラムがメモリ208に格納されている。これらのプログラムの処理は、次の通りである。
【００２６】
セッション抽出プログラムは、通信路105と通信路107を介して行われる通信に含まれるセッション情報を抽出するプログラムである。セッション抽出プログラムによって抽出されたセッション情報は、通信路109を介して制御管理装置104に送信される。ここでセッション情報の一例は、TCP/IPネットワークにおいて、送信元IPアドレス、送信元ポート番号、宛先IPアドレス、宛先ポート番号、プロトコルの5種類の情報であり、これらの5種類の少なくとも一部の情報によって特定される、一連のパケットがセッションである。本実施形態においては以下、セッションを特定するために、これらの5種類の情報を用いることがあるが、セッションを特定するために5種類すべての項目が指定される必要はない。一例として、送信元IPアドレスのみが指定され、それ以外の4つの項目が指定されていない場合がありうる。この場合、指定された送信元IPアドレスを持つ一連のパケットは、その他の4項目の値がどんな値であるにもかかわらず、一つのセッションとして扱うこととする。
【００２７】
ミラーリングプログラムは、通信路105と通信路107を介して行われるトラヒックに含まれるパケットを、そのままコピーして通信路106に流すプログラムである。ミラーリングプログラムによる処理はCPU202によって実行される他に、ハードウェアとして、パケット処理装置205に実装されてもよい。また、これらプログラムとハードウェアが連携して処理を実行してもよい。
【００２８】
トラヒック制御装置102は、通信路107と通信路110を介したトラヒックを制御する装置である。ここでの制御の種別例は、TCP/IPネットワークにおける、通信の遮断、帯域の制限、通信経路の変更などである。このような制御は、セッション情報などによって特定されるトラヒックの一部分を対象に適用することが可能である。
【００２９】
トラヒック分析装置103は、トラヒック制御装置101からミラーリングされてきたトラヒックに含まれるセッションについて、それぞれのセッションがある特定の特徴を持つか否かを分析する。トラヒック分析装置103は、その内部に、セッションごとにその内容を分析する時間の間隔を保持している。セッションの分析は、この時間ごとに行う。例えば、この時間が30秒に設定されているセッションの場合、そのセッションの分析は30秒ごとに行う。分析の一例としては、これらのセッションについて、P2Pソフトウェアによって送信される通信に固有の特徴が含まれているかどうかを分析する。具体的には、セッション情報に含まれるIPアドレスによって特定される端末がP2P通信を行っているか否かを分析する。分析の結果は、トラヒック分析装置103の内部に一時的に保持され、後述する制御管理装置104からの要求を受けたタイミングで、制御管理装置104に送信される。分析の結果は、通信路108を介して、制御管理装置104に送信される。
【００３０】
ここで、分析結果が一時的に保持される場所は、トラヒック分析装置103の内部ではなく、制御管理装置104の内部である、という実施形態もありうる。この場合、分析の結果をトラヒック分析装置103の内部に保存する代わりに、制御管理装置104に送信し、制御管理装置104は分析の結果を受信して、その内部に一時的に保存する。この結果を参照する必要がある場合、トラヒック分析装置103に問い合わせる代わりに、制御管理装置104に問い合わせて、保存されている結果を取得する。
【００３１】
分析の結果には、セッションを特定するための送信元IPアドレス、送信元ポート番号、宛先IPアドレス、宛先ポート番号、プロトコルの情報、分析結果フラグ、分析結果詳細、確信度が含まれる。分析結果フラグは、分析対象のセッションが特定の結果であったか否かを示すフラグで、例えば分析対象のセッションがP2P通信であったか否かを示す値（YesまたはNo）が入る。分析結果詳細は、分析対象のセッションを実行しているソフトウェア種別のような、分析に付随する情報を含む項目である。例えばP2P通信の分析においては、分析結果フラグがYesの場合、P2P通信の種別（例えば、WinnyやShareなどソフトウェア種別）が入り、分析結果フラグがNoの場合は空欄となる。確信度は、前述のように、分析結果に対する評価値であり、例えば0から100までの値が入る。この例では、値が0であればトラヒック分析装置103が分析結果を正しいとする確信が全くない場合を示し、100であればトラヒック分析装置103が分析結果は必ず正しいと判断している場合を示す。なお、図１に示すように、トラヒック分析装置103を複数台含む構成の場合、トラヒック制御装置301から通信路106を介して、同じトラヒックがそれぞれのトラヒック分析装置103に送信される。
【００３２】
以上の動作説明から明らかなように、トラヒック分析装置103をコンピュータ(データ処理装置)により構成し、その処理をプログラムによって実現することもできる。
【００３３】
図３に、制御管理装置104の構成例を示す。制御管理装置104は、中央処理装置（CPU）302、記憶装置303、入出力装置304、メモリ308、及びインタフェース（IF）305、306を備え、これらはデータ通信路(バス)307を介して接続されている。
【００３４】
中央処理装置302はメモリ308に格納されたプログラムを実行する。プログラムは、入出力装置304を介して一旦記憶装置303に記録され、その後プログラムの実行前にメモリ308に読み込まれて実行される。
【００３５】
記憶装置303はデータを記録するための装置であり、例えばハードディスクドライブやフラッシュメモリのような装置である。
【００３６】
入出力装置304は、インタフェース305、306のようなネットワークとのインタフェースを介さずに、データの入力、出力を行うための装置である。例えば、入力装置としては、キーボード、マウスなどのポインディングデバイスなどが含まれる。出力装置としては、ディスプレイ、プリンタなどが含まれる。その他、USBなどの外部記憶を接続するためのインタフェース、コンパクトフラッシュなどのメモリカードからデータを読み取るためのスロットなど、入力装置にも出力装置にもなりうる装置もあり、これらも入出力装置304の例に含まれる。入出力装置304は、これらの例すべての装置を備えている必要はない。
【００３７】
インタフェース305、306はネットワークを介して制御管理装置104が外部とデータの送受信を行うための装置である。インタフェース305、306は、例えば、LANカードなどの装置である。これらのインタフェース305、306を介して、制御管理装置104は外部のデータ通信路108、109と接続されている。
【００３８】
制御管理装置104の中央処理装置302が実行するプログラムが制御管理プログラムである。制御管理プログラムは、トラヒック分析装置103における分析の実行、トラヒック制御装置101、102における制御の実行を管理する。制御管理プログラムは、入出力装置、外部通信インタフェースからの指示によって起動、終了されるが、起動してからは、例えば一定時間ごと（10秒ごと、30秒ごとなど）に実行される。
【００３９】
制御管理装置104の制御管理プログラムの実行に用いるデータテーブルとして、記憶装置303に、分析対象セッション管理テーブル400、分析結果管理テーブル500、分析時間間隔管理テーブル600及びアクセス規制対象セッション管理テーブル700を有する。
【００４０】
図４に、分析対象セッション管理テーブル400の例を示す。分析対象セッション管理テーブル400は、分析対象となるセッションを格納するテーブルである。分析対象セッション管理テーブル400には、セッションを特定するための、送信元IPアドレス401、送信元ポート番号402、宛先IPアドレス403、宛先ポート番号404、プロトコル405の情報が含まれている。これらの情報が分析対象のセッション情報であり、分析対象のセッションの数に応じたセッション情報が、分析対象セッション管理テーブル400に格納される。
【００４１】
図５に、分析結果管理テーブル500の例を示す。分析結果管理テーブル500はトラヒック分析装置103から送られてきた分析結果を格納するテーブルである。分析結果管理テーブル500には、属性値として、セッションを特定するための、送信元IPアドレス501、送信元ポート番号502、宛先IPアドレス503、宛先ポート番号504、プロトコルの情報505、分析結果フラグ506、分析結果詳細507、確信度508の情報が含まれている。分析結果詳細507の一例として、本システムをP2P通信の検知に用いている場合、P2P通信を行っているソフトウェアの種別（Winny、Shareなど）が格納される。これらの情報は、トラヒック分析装置103から分析結果を受信するごとに、分析結果管理テーブル500に格納される。
【００４２】
図6に、分析時間間隔管理テーブル600の例を示す。分析時間間隔管理テーブル600は、トラヒック分析装置103が分析を行うそれぞれのセッションにおいて、分析の時間間隔を格納するテーブルである。分析時間間隔管理テーブル600には、セッションを特定するための、送信元IPアドレス601、送信元ポート番号602、宛先IPアドレス603、宛先ポート番号604、プロトコルの情報605、および分析時間の間隔の情報（分析時間間隔）606が含まれる。分析時間間隔606とは、例えばあるセッションについては30分ごとに分析を行う場合、30分という値が入る。これらの情報は、トラヒック分析装置103が分析する対象のセッションに対応して、分析時間間隔管理テーブル600に格納される。
【００４３】
図7に、アクセス規制対象セッション管理テーブル700の例を示す。アクセス規制対象セッション管理テーブル700は、アクセスの規制を行う対象となっているセッションの情報を格納するテーブルである。アクセス規制対象セッション管理テーブル700にはセッションを特定するための、送信元IPアドレス701、送信元ポート番号702、宛先IPアドレス703、宛先ポート番号704、プロトコルの情報705、アクセス規制終了時刻706、及び規制種別707が含まれる。これらの情報は、トラヒック分析装置103からの分析結果に含まれるアクセス規制対象セッションに対応して、アクセス規制対象セッション管理テーブル700に格納される。
【００４４】
図８に、制御管理プログラムの処理フローチャートを示す。分析対象セッション取得処理800では、トラヒック制御装置101からセッション情報を取得し、分析対象セッション管理テーブル400に格納する。分析対象セッション管理テーブル400は、制御管理プログラムの起動時に一度だけ内容がクリアされ、それから終了まではデータを引き継ぐ（制御管理プログラムの実行ごとに、テーブル情報を初期化することはない）。従って、分析対象セッション取得処理800は、トラヒック制御装置101から取得したセッション情報のうち、分析対象セッション管理テーブル400に含まれていないものをテーブルに追加し、トラヒック制御装置101から取得したセッション情報には含まれていないが、テーブルに残っているセッション情報を削除する処理となる。
【００４５】
分析結果取得処理810では、トラヒック分析装置103より分析結果を受信し、分析結果管理テーブル500に格納する。トラヒック分析装置103が複数存在する場合は、分析結果を送信元であるトラヒック分析装置103を識別する符号も同時に取得し、その値も記憶装置に保持しておく。
【００４６】
分析実行セッション更新処理820では、分析の対象となるセッションの管理を行う。図９は、分析実行セッション更新処理820の詳細を示すフローチャートである。まず分析結果管理テーブル500を参照し、セッションごとの分析結果を取得する（分析結果参照処理900）。次に、分析結果よりセッションごとの分析時間の間隔を算出する（分析実行時間算出処理910）。分析時間の間隔は、それぞれのセッションの分析結果によって定められる。例えば、確信度が0の場合に分析時間の間隔を20秒とし、確信度が1大きくなるごとに1秒をプラスした値を分析時間間隔とする。これは、確信度が低い分析結果については、短い時間間隔で繰り返し分析を行うための算出方法である。この算出方法は一例であり、分析結果に含まれる属性値から算出される値であれば分析時間間隔となりうる。トラヒック分析装置103が複数存在する場合は、それぞれのトラヒック分析装置103が出力した確信度より算出される値を最終的な確信度とする。この算出方法の一例として、それぞれのトラヒック分析装置103が出力した確信度の平均値を最終的な確信度とする。その後、ここで算出した分析時間間隔を、分析時間間隔管理テーブル600の分析時間間隔606に格納する（分析実行時間更新処理920）。
【００４７】
分析実行時間通知処理830では、分析時間間隔管理テーブル600に格納された、セッションを特定する情報601〜605とセッション分析時間間隔606とを、トラヒック分析装置103に送信する。また、分析時間間隔管理テーブル600に含まれていないセッション情報であって、分析対象セッション管理テーブル400に含まれているセッション情報も同時に送信してもよい
アクセス規制対象セッション更新処理840では、トラヒック分析装置103より受信した情報をもとに、アクセス規制の対象となるセッションを特定する。図10は、アクセス規制対象セッション更新処理840の詳細を示すフローチャートである。まず分析結果管理テーブル500を参照し、セッションごとの分析結果を取得する（分析結果参照処理1000）。次に、分析結果において、確信度が一定値以上のセッションを規制対象セッションとして、規制時間を算出する（規制時間算出処理1010）。規制時間は、それぞれのセッションの分析結果によって定められる。例えば、あるセッションの確信度が70以上の場合を規制対象とすると、確信度が70の時に規制時間を20分とし、確信度が1大きくなるごとに1分をプラスした値を規制時間とする。また、規制時間と同様に、確信度の大きさに対応して規制種別を決定する。これは、確信度が高い分析結果が得られたセッションについては、長い時間かつ強い規制とするものである。この算出方法は一例であり、分析結果に含まれる属性値から算出される値であれば規制時間となりうる。その後、規制対象となったそれぞれのセッションについて、現在時刻に規制時間を足したものをそのセッションのアクセス規制終了時刻として記録する。ここで算出したアクセス規制終了時刻及び規制種別を、アクセス規制対象セッション管理テーブル700のアクセス規制終了時刻706及び規制種別707に格納する（規制時間更新処理1020）。なお、すでにそのセッションのアクセス規制終了時刻がアクセス規制終了時刻706に格納されている場合には、新しいアクセス規制終了時刻で古いアクセス規制終了時刻を上書きする。
【００４８】
アクセス規制制御処理850では、アクセス規制対象セッション管理テーブル700に格納されたセッションについて、アクセス規制終了時刻及び規制種別をパラメータとした、通信を制御するコマンドをトラヒック制御装置102に送信する。なお、アクセス規制対象セッション管理テーブル700に含まれているセッションであって、そのセッションのアクセス規制終了時刻706がすでに過ぎている場合、そのセッションの情報をアクセス規制対象セッション管理テーブル700から削除し、アクセス規制を解除するコマンドをトラヒック制御装置102に送信する。
【００４９】
本実施形態によれば、ネットワークトラヒックの分析を行う際に、トラヒック分析装置の分析結果によって算出される分析時間間隔を設けることにより、より少ない処理量でトラヒックの分析を行うことが可能となる。
【００５０】
本実施形態の一部を変更して、次のように実施することも可能である。図１におけるトラヒック制御装置101において、セッション抽出プログラム又はトラヒック分析装置103は、セッション情報のみを取得するのではなく、それぞれのセッションの単位時間当たりの流量も取得して制御管理装置104に送信し、制御管理装置104は、それぞれのセッションの流量の値(パケット数)を用いて確信度508、分析時間間隔606、アクセス規制終了時刻706のいずれか、あるいはすべての値を算出する。この変更例により、通信路を流れるトラヒックの量に応じた柔軟なトラヒック分析装置103やトラヒック制御装置102の運用が可能となる。
【００５１】
なお、本実施形態では、セッション情報を用いてP2P通信のようなトラヒックを対象として説明したが、セッション情報の代わりにウィルスパターンのようなパターンを用いてファイル(データ)の内容のパターンとの一致を監視・分析することにより、ファイル転送を対象とした、分析時間間隔、アクセス規制時間の制御が可能である。
【図面の簡単な説明】
【００５２】
【図１】トラヒック監視・制御システムの構成例を示す図である。
【図２】トラヒック制御装置の構成例を示す図である。
【図３】制御管理装置の構成例を示す図である。
【図４】分析対象セッション管理テーブルの例を示す図である。
【図５】分析結果管理テーブルの例を示す図である。
【図６】分析時間間隔管理テーブルの例を示す図である。
【図７】アクセス規制対象セッション管理テーブルの例を示す図である。
【図８】制御管理プログラムの処理フローチャートである。
【図９】分析実行セッション更新処理のフローチャートである。
【図１０】アクセス規制対象セッション更新処理のフローチャートである。
【符号の説明】
【００５３】
100…トラヒック監視・制御システム、101、102、201…トラヒック制御装置、103…トラヒック分析装置、104…制御管理装置、202…中央処理装置、203…入出力装置、204…記憶装置、205…パケット処理装置、206、210、213…インタフェース、208…メモリ、302…中央処理装置、303…記憶装置、304…入出力装置、305、306…インタフェース、308…メモリ、400…分析対象セッション管理テーブル、500…分析結果管理テーブル、600…分析時間間隔管理テーブル、700…アクセス規制対象セッション管理テーブル。
【図１】
2010074744.tif 000003
【図２】
2010074744.tif 000004
【図３】
2010074744.tif 000005
【図４】
2010074744.tif 000006
【図５】
2010074744.tif 000007
【図６】
2010074744.tif 000008
【図７】
2010074744.tif 000009
【図８】
2010074744.tif 000010
【図９】
2010074744.tif 000011
【図１０】
2010074744.tif 000012